Podtech/llm-jp-corpus-v4-ja_patent huggingface dataset:
(57)【要約】【課題】  写真用黒板において、軽量で持ち運びに優れ、収納・操作を多少乱暴に扱っても黒板面の文字が不鮮明にならず、かつ、利用しやすいリーズナブルな価格の製品を実現する。【解決手段】  写真用の黒板を分割し,黒板面が内側になるように折り畳むことによって、記載面である黒板面の保護を可能にし、記載された内容が不明瞭になることを防止できると同時に運搬・収納に便利なようにコンパクトなサイズとなる。また、黒板の背面に化粧用合板を張ることにより体裁を良くする。【選択図】図１
2006051638.tif 000002
【特許請求の範囲】
【請求項１】
写真で撮影する被写体の状況を説明するための黒板において、黒板面を内側にして折り畳んで小型化することにより、収納・運搬に資するとともに黒板の記入面を保護し、記載された内容が不明瞭になることを防止できる写真用黒板。
【請求項２】
分割して折り畳むことによりコンパクトなサイズとなる写真用黒板において、背面を塞ぐ装飾用の化粧板を備えた写真用黒板。
【発明の詳細な説明】
【技術分野】
【０００１】
本発明は、工事現場や測量現場などで写真を撮影する際に利用する写真用黒板に関する。
【背景技術】
【０００２】
写真用黒板は、あらかじめ工事名や工種及び測点などの記載欄を設けた木製や金属製の本体のもので、この記載欄にチョークなどで必要事項を記入し、工事現場での進捗・完成状況を示す工事写真や、測量・調査の経過や測量杭の埋設状況を示す現場写真などに用いる。
【０００３】
写真用黒板の記載欄へのチョークでの記入は、その他の大型器材を必要とせず簡易で手早く、撮影現場での書き込みも可能なため、現場写真の撮影では一般的に用いられている。しかしながら、使いやすい反面、移動時や収納時、又は雨天ではチョークで記入した文字等が消えやすく、視認性が悪くなり、はん雑な書き直しを必要とするなどの欠点を持っている。
【０００４】
これを解決すべく、盤面に定着・差し替え可能な磁気式印刷シートを用いる技術も提案されている。（特許文献１）
【０００５】
【特許文献１】実登  平６−３００８７０６
【０００６】
可搬性のみの向上に着目すると、黒板面を外側に向けて折りたたむ考案が提案されている。（実用新案文献２）
【０００７】
【特許文献２】実開  平０１−１３３９１  しかしながら、写真用黒板は工事現場で用いる関係上から、本体は軽く、かつ可搬性に優れる必要があること。また、写真用黒板自体は現場で用いる関係上から破損しやすい道具であること。合わせて現場作業そのものは迅速に行なうことが求められるため、収納・運搬・撮影にあたって、操作に気を遣わなくて済む程度の強度と、それにあわせて経済的にリーズナブルなものが求められている。
【０００８】
一方では、一般の使用者は手書きでの文字の記入は不得意である者が多く、何度も書き直しをすることがおっくうであり、黒板面が乱れないようにデリケートな扱いが求められる一面もある。現場写真撮影時には多少乱暴に扱っても文字が不鮮明にならないものが求められている。
【発明の開示】
【発明が解決しようとする課題】
【０００９】
写真用黒板において、軽量で持ち運びに優れ、収納・操作を多少乱暴に扱っても黒板面の文字が不鮮明にならず、かつ、利用しやすくてリーズナブルな価格の製品を実現する。
【課題を解決するための手段】
【００１０】
黒板面が内側になるように折り畳むことによって、記載面である黒板面の保護を可能にし、記載された内容が不明瞭になることを防止できる。また、黒板の背面に化粧用合板を張ることにより体裁を良くする。
【発明の効果】
【００１１】
写真用黒板において、黒板を分割し、黒板面を内側にして折り畳むことにより、収納・運搬・操作を多少乱暴に扱っても黒板面の文字が不鮮明にならず、かつ、機動性に優れ、軽量で持ち運びに優れた製品とすることが可能となる。さらに製作の容易さ、構造のシンプルさから、リーズナブルな価格の製品を実現できる。
【発明を実施するための最良の形態】
【００１２】
本発明における写真用黒板は構造・材質を特殊なものとせず、現在市販されている多くの製品群と同様の構造・材質・仕様を踏襲し、従来と同じ方法・設備での製作を可能とすることにより、製造の便宜に資することが可能となる。（図１参照）
【００１３】
写真用黒板を分割し、蝶つがいなどで結合することで小型となり、かつ、黒板面を内側に折りたたむことにより盤面を保護することが可能となるため、収納・運搬時は気を遣うことなく、多少ラフに扱っても黒板面の記載事項が不明瞭になることを防止できる。一方、利用時には折り畳みを戻し通常の黒板のサイズに戻し、従来と同様の利用状況が可能となる。（図２参照）
【００１４】
内側に折りたたむことにより黒板面どうしが接触するため、ゴム性スペーサなどでこれを防止する。
【００１５】
分割した黒板を元に戻し、通常の黒板のサイズとして使用する場合に、蝶つがいなどでの接合のみでは分割された黒板が安定せず、ぶらぶらして使用しにくいため、上の黒板と下の黒板とを固定金具により固定し、使用感を向上させる。（図４参照）
【００１６】
従来の写真用黒板は黒板としての使用時はもちろんのこと、収納・運搬時も黒板面が主体であり、裏面はあくまでも裏面であり、体裁に着目することはなかった。本発明での写真用黒板は、折りたたんで収納・運搬するため、この収納・運搬時では通常の裏面がもっぱら表に出る構造となる。
【００１７】
本発明では、裏面となる部分、すなわち収納・運搬時に表面に出る面に、化粧合板などを張り、この黒板の裏面をカバーするばかりでなく、積極的に見た目の高級感を演出し、黒板の携帯そのものを快適にするものである。
【図面の簡単な説明】
【００１８】
【図１】本発明の写真用黒板の全体構造を説明するものである。
【図２】収納・運搬時から、使用時となる状態まで説明する図面である。
【図３】黒板の使用時に分割した黒板を、固定器具により一体化する状態を説明する図面である。
【図１】
2006051638.tif 000003
【図２】
2006051638.tif 000004
【図３】
2006051638.tif 000005
(57)【要約】【目的】針の代わりに糊を使用して紙同士を接着することで、後処理の手間の減少、安全性の確保、身体にかかる負担の軽減を可能とする。【構成】台１で紙の束を挟み、手前に装置を引いて、紙が通ることによりローラー2が回転し、歯車3へと回転が伝わることによって回転数が落ち、連結しているシャフト4を回転させ、糸5を巻き取り、連結している糊を挟んでいる板6が手前へと引き寄せられることにより、糊袋7が圧縮されチューブ8を通って箱9へと糊を押し出し、塗布部10から糊を出すことによって、紙の束の側面に糊を塗布し、糊を塗布された紙の束が、装置の手前への動きによって突出部11を通り、圧縮され、接着される。【選択図】        図１
2006051648.tif 000002
【特許請求の範囲】
【請求項１】
紙を挟みこむ上下の台と糊を押し出すための機構からなり、糊を押し出す機構は交換可能な糊袋、糊を押し出す動力となるローラー、ローラーの回転をシャフトへと伝える歯車、シャフトに巻き取られることにより糊袋を挟んでいる板を引っ張る糸、当該板に圧縮された糊を溜めるための箱および当該箱に糊を導くチューブ並びに当該箱の片面に設けられた糊を紙に塗布する塗布部および紙を押さえるための突出部からなることを特徴とする携帯用小型のステープラー。
【請求項２】
請求項1のステープラーにおいて、糊を押し出す動力となるローラーの回転、その回転数を歯車を用いることで減少させることにより糊を押し出す動力として十分な速度に調整して糊を押し出し、紙の側面に塗布され、それを圧縮することにより、紙と紙とを接着することを特徴とする請求項1のステープラー。
【発明の詳細な説明】
【技術分野】
【０００１】
本発明は、文房具の針を使わず糊で書類をとじるステープラーである。
【背景技術】
【０００２】
紙と紙を接着する文房具の中で、ステープラーは紙の束を挟む動作のみで、簡単に接着できる利点があるので、紙と紙とを接着する文房具として実用に供されている。
【０００３】
実用のステープラーは、主として金属製のステープルを使用して紙と紙とを接着する。紙を何枚も接着する場合において、ステープルには紙を貫通するだけの硬度が必要であるため、従来、金属製のステープルを用いることが一番適していた。
【０００４】
しかし、古紙の再利用や機密情報の漏洩を防ぐ上でのシュレッダー処理などを行う場合、金属製のステープルは取り外す必要がある。また金属製のステープルは先端が鋭利であり且つ硬度もあるため、指に刺さるなどの危険性がある。さらに紙を貫通させるためには強い握力が必要であり、力の弱い子供や高齢者にとって扱いづらいという欠点があった。
【特許文献１】特開平１１―０７６５３号公報
【特許文献２】特開平７―４８０６１号公報
【発明の開示】
【発明が解決しようとする課題】
【０００５】
古紙の再利用や書類のシュレッダー処理の用途において、この欠点は作業を円滑に進める上で大きな障害である。また指に針を刺すなどの安全性の問題や針を貫通させるために必要な握力を考慮した場合、針を使用するという点が最も大きな問題であると認識された。
【課題を解決するための手段】
【０００６】
この改善策として、糊を使用し紙と紙とを圧着する方法がある。この方法ではローラーを用いることにより糊を押し出す動力を確保した。また操作としては従来のステープラーのように紙を挟むことになるが、針を貫通させる必要がないため握力はあまり必要としない。しかし紙の側面に沿って装置を動かすという動作が必要になる。
【発明の効果】
【０００７】
解決しようとする問題点は、針を使用することにより生じる、後処理の手間、安全性の確保、身体にかかる負担の軽減である。
【発明を実施するための最良の形態】
【０００８】
本発明は、装置で紙を挟んで通した際に、糊の押し出しを可能とするため、紙に対して垂直に接するローラーを有していることを最も主要な特徴とする。このローラーを用いることによって糊の押し出しを円滑に行い、紙と紙とを接着するという目的を、装置に紙を挟んで通すという少ない動作で可能とし、手で握ることの出来る範囲の大きさで実現した。
【実施例１】
【０００９】
本発明のステープラーは、図１に示されるように、紙を挟みこむ上下の台１と、糊を押し出すための機構であるローラー２から塗布部１０までの部位、紙を圧縮して接着させる突出部１１とで構成されている。
【００１０】
糊を押し出す機構は、糊を押し出す動力となるローラー２と、ローラー２の回転をシャフト４へと回転数を減少して伝える歯車３、シャフト４に巻き取られることにより糊を挟んでいる板６を引っ張る糸５、板６に圧縮されチューブ８を通して箱９へと糊を押し出す糊袋７、紙に糊を塗布する塗布部１０で構成されている。
【００１１】
次に動作について説明する。台１で紙の束を挟み、手前に装置を引く。紙が通ることによりローラー2が回転し、歯車3へと回転が伝わる。歯車3によって回転数が落ち、連結しているシャフト4が回転する。回転するシャフト4によって糸5が巻き取られ、連結している糊を挟んでいる板6が手前へと引き寄せられることにより、糊袋7が圧縮される。圧縮された糊袋7はチューブ8を通って箱9へと糊を押し出し、塗布部10から糊を出すことによって、紙の束の側面に糊を塗布する。糊を塗布された紙の束は、装置の手前への動きによって突出部11を通り、圧縮され、接着される。
【産業上の利用可能性】
【００１２】
上述の発明は、従来のステープラーのように紙同士を接着することが可能である。また針を使用していないため、後処理の手間、安全性の確保、労力の軽減が出来る上、従来のステープラーのように、接着に必要な部分（糊）の補充が交換可能である。
【図面の簡単な説明】
【００１３】
【図１】ステープラーの構造を示した説明図である。
【符号の説明】
【００１４】
１    紙を挟んで通す台の部分
２    紙を通すことにより回るローラー
３    ローラーと連動する歯車
４    糸を巻き取るシャフト
５    押し出す板を引っ張る糸
６    糊を挟んで押し出す板
７    糊袋
８    糊袋と塗布部の箱を連結するチューブ
９    一時的に糊をためる箱
１０    糊を塗布する部分
１１    紙を圧縮する突出部
【図１】
2006051648.tif 000003
(57)【要約】【課題】月桃の含有物である薬用としての効力を菓子類の素材として最大限に活かすことによって、自然食品として風味豊かな健康菓子を提供する。【解決手段】月桃の葉を微粉末にし、適量の小麦粉と練り合わせて出来る健康菓子を特徴とする。【選択図】図４
2006051014.tif 000002
【特許請求の範囲】
【請求項１】
月桃の葉を粉末にし、適量の小麦粉と混合し、練り合わせて作るのを特徴とする菓子類の加工食品の製造方法。
【請求項２】
月桃の葉に含まれる整腸作用、咳止め、血圧降下等の、薬草としての効能を活かしそれを素材にして出来る健康菓子の加工食品の製造方法。
【請求項３】
月桃独特の風味とその色素を天然の着色料として活かし、防腐、防虫、防菌等の薬用の効力で菓子全体を包みこむことで、発明される新規な菓子類等の加工食品の製造方法。
【発明の詳細な説明】
【技術分野】
【０００１】
本発明は、薬草として様々な効能のある月桃の葉を菓子類の素材に活用することで、新規な健康菓子として得られる加工食品の製造方法に関するものである。
【背景技術】
【０００２】
従来月桃の葉は、餅等を包む材料として利用されている。
【発明の開示】
【発明が解決しようとする課題】
【０００３】
図１にあるように、沖縄の山野に自生している月桃は生姜科の多年生草本で、この植物に食欲不振、胃や腸に対する整腸作用、咳止め、血圧降下等、薬草として様々な効能があることが知られており又、近年芳香剤や防腐、防虫、防菌剤として幅広い用途に利用されている。
今回こうした月桃の持つ薬効性に着目し、その利用の可能性を追求し、又その葉の色素を天然の着色料として活用し、自然食品として長期保存の出来る新規な健康菓子と位置付け、その加工食品の製造方法の提供を目的としている。
【課題を解決するための手段】
【０００４】
（イ）図２のように、葉柄を葉身のつけね部分から切り取った月桃の葉を洗浄し、表面の水滴を良く拭き取って２時間ほど冷蔵庫内に冷蔵保存する。
（ロ）葉の固い主脈部分を取り除き、縦に入った繊維筋を一度スライサー器で横にこま切れにする。
（ハ）図３において、ミキサー器による高速回転で上記材料を微粉末にまるまで粉砕する。
上記工程で行われて出来上がった月桃の葉の加工品は、色あざやかな緑の色素と月桃独特の香りが維持され、本発明の目的の素材として供給することが出来る。
【発明の効果】
【０００５】
図４のように出来上がった菓子を割ってみると、月桃特有の香りと、色あざやかな天然の着色が、自然食品としての風味を付与する。
又、葉の粉末が自然の形で菓子の素材として取り入れられることによって、月桃の含有物である全ての薬効がより大きな効果を表し、健康菓子として提供できる。
【発明を実施するための最良の形態】
【０００６】
（イ）小麦粉７００グラムに、大サジ一杯のベーキングパウダーを、小麦粉ふるい器で一緒にするっておく。
（ロ）食器ボールに卵３個を割っていれ、砂糖２００グラム、月桃の葉の粉末１００グラムを入れ、泡立て器でよくかき混ぜておく。
（ハ）（イ）の小麦粉を（ロ）の食器ボールに入れ、木杓子で軽く八分通り練り合わせて、食器ボールの上部をサランラップで密閉し、冷蔵庫で２〜３時間ねかせる。
（ニ）フライヤーに適量の揚油を入れ、約１４５〜１５０度ぐらいの温度にし、（ハ）の生地をスプーンですくい、両手で適当な大きさに丸め、フライヤーの揚油の中へ静かにいれる。
しばらくして生地が揚油の表面に浮き上がり、更に自然に上下に回転し、生地が焼き上がる過程で二方、三方から割れ目が出来、こんがりとした揚げ菓子が出来上がる。
【図面の簡単な説明】
【０００７】
【図１】月桃を示した説明図である。
【図２】月桃の葉を示した説明図である。
【図３】微粉末にした月桃の葉を示した説明図である。
【図４】月桃健康菓子を示した説明図である。
【図１】
2006051014.tif 000003
【図２】
2006051014.tif 000004
【図３】
2006051014.tif 000005
【図４】
2006051014.tif 000006
(57)【要約】【課題】  海釣りの魚集方法の一つに、うき下にコマセ袋網、金網、カゴなどを吊り下げ遠投する釣吉ベテラン向きの釣り魚法がある。この釣りは、初心者は糸からみが多く投げ込みに技術を要するものである。これを誰もが簡単に遠投釣りが可能なように、うきをコマセかごとを一体にした、コマセかご付きを提供しようとするものである。【解決手段】  うき（１）と、コマセかご（２）と、浮力調節の、オモリ役の浮力調節海水カンク（３）を一体構成にした、コマセかご付きであることを特徴とする。【選択図】  図３
2006051009.tif 000002
【特許請求の範囲】
【請求項１】
うき、とコマセかご、をはめはずし簡単なはめ込み式、またはネジ込み式の形状で一体に構成したうきであって、該うきの浮力調節を、うき本体に浮力調節海水タンクを形成することにより、海水の量による浮力を調節出来ることを特徴とするコマセかご付きうき。
【発明の詳細な説明】
【技術分野】
【０００１】  本発明は海釣りの「うき」と「コマセ」かごを別々にセットして使用するものでなく、簡単にはめこみ、ネジ込みで一本のうき状態に合理的に合体出来るものであり、遠投釣りをする投げ込み時に、糸からみをなくする為と、うき下にコマセかごが、吊り下がっている為に、魚が警戒することをなくするように考え出した形状のコマセかご付きうきである。
【背景技術】
【０００２】  従来の魚寄せのコマセかごは、うきと別々でありうきの下方にかご類、袋網、金網などを吊り下げていたので、海に投げ入れる時に空中や海面着下時また海面下に沈む時などにも糸からみ、かごからみがおきやすくて、遠投技術は高度なものが必要であり、ベテランの釣り人向きの魚法であり、初心者には無理な釣り魚法であった。
【発明の開示】
【発明が解決しようとする課題】
【０００３】  それらの問題を解決するため、
「うき」と「こませかご」を別々にセットする仕掛は初心者向きでなかったので、誰でも簡単にベテランの釣り魚法が出来るよう合理的に解決する方法として考案したものである。
【課題を解決するための手段】
【０００４】  上記課題を解決するため、
本発明においては、うきとコマセかごとを、ひとつのうきにおいて一体化する構成とする。
即ち、うき本体の上部を構成するうき王とその下に垂下される棒状、キャップ型の回転すべり止めと、ここから接続され、うき全体の中央に配設されるコマセかごと、及びうき本体の下部を構成する海水タンク部分と、から成るコマセかご付きうきを特徴とするのであって、うき全体の中央に２つの接続部を介して、コマセかごを配する構成を採用したものである。
【発明の効果】
【０００５】  海釣りのベテランだけでなく、初心者も大海での遠投釣りが楽しめるコマセかご付きうきは、遠投釣りだけでなく防波堤や磯の手近かな場所で、特に、小アジ、イワシ、メジナ、カワハギ、ボラ、サヨリ、など多種類の魚釣りが楽しめる簡便釣り具の近代的な面白いうきとして釣り人ファンに提供するものである。
これらをまとめれば、本発明の特徴は
◎遠投釣りが誰れでも容易に出来ること。
◎遠投しても糸のからみが少ないこと。
◎コマセかごにコマセを入れやすいこと。
◎うき下にコマセかごが吊り下がってなく魚がけいかいしない。
◎浮力調節が海水の量で調節出来ること。
◎ポリプロピレン樹脂成型で堅牢であること。
◎一本のうき状態に合理的な成型であるので遠投距離が出やすいこと。
【発明を実施するための最良の形態】
【０００６】  本発明の実施例について説明すれば、
（イ）ポリプロピレン樹脂成型からなる、うき（１）は接続部分は精密な雌ネジで、
（ロ）コマセかご（２）もポリプロピレン樹脂成型によるもので、接続部は雄ネジで、（１）と（２）は、ネジ込み簡単に合体で出来る。
なお、他の実施例として、ネジによらず両接続部分を各々凹凸とすることで、カチツとはまる差し込み式（はめ込み式）とすることも可能である。
（ハ）うきとしての浮力調節は（３）の浮力調節海水タンクの中に海水を入れて浮力の調節は自分好みに海水の量で調節する。
（注）海水によるオモリ調節（浮力調節）でなく、鉛を海水タンク（３）に詰め込んで調節も可能。
（ニ）（１）（２）（３）の合体により一本（一体形状）のうきが完成し、金具（６）の下のリングに釣り魚目的の水深（１ｍ〜３ｍ）の針糸に、針とエサを取りつける。
【図面の簡単な説明】
【０００７】
【図１】  本発明の正面図
【図２】  本発明の平面図
【図３】  本発明の分解斜視図
【符号の説明】
【０００８】  １  うき
２  コマセかご
３  浮力調節海水タンク
４  接続部Ａ
５  接続部Ｂ
６  金具
７  コマセ放出孔
８  うき玉
９  凹凸状回転すべり止め
１０  海水入れ口（キャップ付き）
１１  鉛出し入れネジふた
【図１】
2006051009.tif 000003
【図２】
2006051009.tif 000004
【図３】
2006051009.tif 000005
(57)【要約】【課題】  草や水草を繁殖および育成するため、水質自体の汚濁や表層に漂う大量の浮遊物によって日光の透りが遮断され、光合成が出来難くなっている環境に対しても積極的に日光を海底まで届かせることを課題とする。【解決手段】  透明度の低い水質において、積極的に日光を底まで届かせるために、塩化ビニール等の透明な材質で立方体１の形状を造り、その内部に汚れが無く透明度が最も高い状態の水７を立方体の内部に注入させて日光の透過率を向上させるものとするが、この際に水７を注入する量は水面８に辛うじて浮くだけに設定し、この立方体１を一つのユニットとしながら、使用する環境が大規模である場合はユニットどおしをユニット固定具３で接続させて必要な面積を得るものとすることで、その水域に必要な日光の照射を与えるものとする。【選択図】  図１
2006051003.tif 000002
【特許請求の範囲】
【請求項１】
透明度の低い水質において、積極的に日光を底まで届かせるために、ビニール等の透明な材質で立方体１の形状を造り、その内部に汚れが無く透明度が最も高い状態の水７を立方体の内部に注入させて日光の透過率を向上させるものとするが、この際に水７を注入する量は水面８に辛うじて浮くだけに設定し、この立方体１を一つのユニットとしながら、使用する環境が大規模である場合はユニットどおしをユニット固定具３で接続させて必要な面積を得るものとすると共に、ユニットが波や風、あるいは潮の流れで移動しないようにアンカー５を打つことで、その水域に必要な日光の照射を与えるものとする。
【発明の詳細な説明】
【技術分野】
【０００１】  水質が悪く日光が届きにくい環境で、海草や水草を繁殖および育成を促進させる装置に関する。
【背景技術】
【０００２】  従来、海草や水草を繁殖および育成するため、魚類や水生の小動物などの産卵や幼魚の育成のために様々な装置を水中に設置し、人工的な漁礁を造っている。
【発明の開示】
【発明が解決しようとする課題】
【０００３】  本発明は海草や水草を繁殖および育成するため、水質自体の汚濁や表層に漂う大量の浮遊物によって日光の透りが遮断され、光合成が出来難くなっている環境に対しても積極的に日光を海底まで届かせることを課題とする。
【課題を解決するための手段】
【０００４】  本発明は透明度の低い水質において、積極的に日光を底まで届かせるために、塩化ビニール等の透明な材質で立方体１の形状を造り、その内部に汚れが無く透明度が最も高い状態の水７を立方体の内部に注入させて日光の透過率を向上させるものとするが、この際に水７を注入する量は水面８に辛うじて浮くだけに設定し、この立方体１を一つのユニットとしながら、使用する環境が大規模である場合はユニットどおしをユニット固定具３で接続させて必要な面積を得るものとすると共に、ユニットが波や風、あるいは潮の流れで移動しないようにアンカー５を打つことで、その水域に必要な日光の照射を与えるものとする。
【発明の効果】
【０００５】  本発明は海草や水草９を繁殖および育成するため、水質自体の汚濁や表層に漂う大量の浮遊物によって日光の透りが遮断され、光合成が出来難くなっている環境に対しても積極的に日光を海底まで届かせることが可能となり、漁礁となる海草や水草９を繁殖させ、その水域の浄化と魚や水生の小動物などの産卵や幼魚の育成も合わせて可能となる。
【発明のを実施するための最良の形態】
【０００６】  本発明は透明度の低い水質において、積極的に日光を底まで届かせるために透明な材質で、一つのユニットとなる立方体１を形成し、その大きさは使用する規模に合わせて家庭用の浴槽から小型のプール程度までの範囲のものとするが、使用する環境が更に大規模な水域である場合は、ユニットどおしをユニット固定具３で接続させて必要な面積を得るものとする。また透明な材質は小型の場合はガラスやアクリルなどの平板の樹脂材を使用し、大型のものは樹脂材でも塩化ビニールのように柔らかく軽いものを選択するものとするが、立方体１の各辺に骨組みとなるパイプ２をジョイント４を介して装着させて強度を高めると共に、各面を平面にして光の屈折を抑えるものとする。
【実施例１】
【０００７】  この実施例の一つのユニットとなる立方体１は、汚れが無く透明度が最も高い状態の水７を注入するための弁６を設けるものとするが、内部の水と浮力を保つための空気を外部に放出しないように気密性の高い材質と構造を持たせるものとする。
【実施例２】
【０００８】  この実施例の一つのユニットとなる立方体の形状の深さにあたる値は、使用する環境の水深によって製作するものとし、表層に漂う浮遊物に対処する場合は浅めのものを使用し、水質全体が濁っている際は深めのものを使用するものとする。
【実施例３】
【０００９】  この実施例の一つのユニットとなる立方体１には波や風、あるいは潮の流れで移動しないようにするためのアンカー５の取り付け部と、ユニットを連結して大規模な水域で使用するためのユニット固定具３を骨組みとなるパイプ２に装着しておくものとする。
【産業上の利用可能性】
【００１０】  本発明は上記の手段を講じることにより、特に都心部の湾内など潮の通りが悪く、水質自体の汚濁や表層に漂う大量の浮遊物などが、なかなか浄化されない水域においても積極的に日光を底まで届かせることにより、海草や水草の育成から微生物の繁殖を手助けが可能となることから、その水域における生元素（炭素・窒素・リン・イオウなど）の循環を高めることができ、この作用により水質の浄化と効率の良い漁礁として新たな生態系を育み、多種多様の動植物を増やすことが可能となる。
【図面の簡単な説明】
【００１１】
【図１】本発明の実施例に係る斜視図である。
【図２】本発明の実施例に係る、ユニットを複数連結した際の断面図である。
【符号の説明】
【００１２】  １  ユニットとなる立方体
２  パイプ
３  ユニット固定具
４  ジョイント
５  アンカー
６  弁
７  水面
８  水
９  海草や水草
【図１】
2006051003.tif 000003
【図２】
2006051003.tif 000004
(57)【要約】      （修正有）【課題】ペットを洗う時にペットが動いて思うように洗う事が出来ずシャンプーの洗い流しが思うように出来ず時間がかかり、水道代が増えてしまうのでこのペット用ハンドシャワーを提供する。【解決手段】片手でペット用ハンドシャワー手袋１を装着し、表面の送水穴３から水を出しペットを撫でる様にして洗い、もう片方の手でペットを支えて隅々まで洗えて、短時間で洗う事が出来る。【選択図】図１
2006051001.tif 000002
【特許請求の範囲】
【請求項１】
ペットを洗う時に手に装着して使用するハンド型のシャワー。
【発明の詳細な説明】
【発明の詳細な説明】
【０００１】［発明の属する技術分野］本発明は、ペットを洗う時に手に装着し、その手袋の手のひら面に幾つもの穴を開けておきそこから水を出してペットを撫でる様に洗える物で水量を調整出来る調整弁を備えた物である。
【０００２】［従来の技術］従来は、水道用のホースかシャワーやバケツでペットに水をかけて洗うしかなかった。
【０００３】［発明が解消しようとする課題］水道用のホースでは、片手でホースを持って片手で洗っていた為、ペットが動いたりした時にスムーズに洗えず、隅々まできれいに洗う事が出来ず時間がかかり水道代が増えたが本発明は、この課題を解消するためになされたものである。
【０００４】［課題が解決するための手段］ハンドシャワー手袋▲１▼を２層構造▲２▼にし、手のひら面に幾つもの穴▲３▼を設け、表面にたくさんの短いゴム製ブラシ▲４▼を設けておき、水道用ホースを接続口▲５▼に接続し、水を流し手のひらの穴から水を出しペット洗う様にする。又、ホース接続口の所で水量を調整出来る調整弁▲６▼を設けておく。
【０００５】［発明の実施の形態］以下、本発明の実施の形態について説明する。（イ）．ハンドシャワー手袋▲１▼を２重構造▲２▼にし、手のひら面に幾つもの穴▲３▼を開け、たくさんの短いゴム製ブラシ▲４▼を設ける。（ロ）．ハンドシャワー手袋▲１▼の手首部分に水を取り込む接続口▲５▼を設けておき、そこで水量を調節出来る調節弁▲６▼を設ける。
【０００６】［発明の効果］ペットを洗う時に動かない様に片手にこのハンドシャワー本体を取り付けておき片手でペットを支えておけば、スピーディで隅々まで洗う事が出来る。又、ペットを洗う時の水道代も節約出来る。
【図面の簡単な説明】
【図１】本発明を示した平面図である。
【図２】本発明を示した断面図である。
【符号の説明】
１  ハンドシャワー手袋本体２  二層構造３  送水穴４  ゴム製ブラシ５  ホース接続口６  送水量調整弁
【図１】
2006051001.tif 000003
【図２】
2006051001.tif 000004
(57)【要約】      （修正有）【課題】誕生祝いや合格祝い等として贈ることができ、生花の生長を楽しみながら、末永く思い出や記念として残すことができる記念鉢を提供する。【解決手段】生花６の植え込み用鉢４を挿入する化粧鉢１の胴部の外周面２に、記念のメッセージ、記念写真および誕生の記録や足型等を直接ジェット印刷する、またはそれらを印刷したプレート３を張り付けるかネジで固定する。【選択図】図１
2006051002.tif 000002
【特許請求の範囲】
【請求項１】
生花の植え込み用鉢を挿入する化粧鉢の胴部の外周部にジェット記念印刷を直接印刷及び記念印刷板を固定した事を特徴とするジェット印刷記念鉢。
【請求項２】
前記鉢は、化粧鉢で化粧鉢にジェット印刷で記念写真や誕生のお子様の足型等や色々な言葉を印刷したものからなることを特徴とする請求項１記載のジェット印刷記念鉢。
【請求項３】
前記化粧鉢の中に挿入する生花の植え込み用鉢は、生産者が育てた生花からなる。
【発明の詳細な説明】
【技術分野】
【０００１】この発明は、生産者が育てた生花の植え込み鉢を挿入する化粧鉢に関する。
［背景技術］【０００２】従来の鉢には、観葉植物や観花植物を植えて育てる鉢を誕生日祝いや合格祝いとして贈り主が何等かのメッセージを贈ろうとしても、別途手紙やカードに頼らざるを得ず、メッセージカードとは別体であるため、贈り主の気持ちを花等と共に永く伝える事は難しい。前記事情に着眼してなされたもので、鉢に贈り主のメッセージを表示したプレート付き鉢である。
［特許文献１］  特開平１１−２４３７８７  公報
［発明の開示］
［発明が解決しようとする課題］【０００３】以上に述べた従来の鉢は、鉢に直接プレートを固定しようとすると、鉢が陶器、素焼き器或いはプラスチック製であり、鉢に穴をあけてネジやビス止で固定していたが、水漏れの原因になるため、メッセージを表示したプレートを脱着可能に巻き付けネジで固定しただけである。【０００４】本発明は、このような従来の観葉植物や観花植物を植えて観賞するか、その鉢にメッセージを表示したプレートを巻き付けネジで固定するのみで、植木鉢に直接印刷したり、印刷板をネジ止め及びビス止で固定することは出来ない。それを解決することを目的とするものである。
［課題を解決するための手段］【０００５】そして、本発明は上記目的を達成するために、植木鉢を挿入する化粧鉢によって、鉢に穴をを開けても、胴部に巻き付けても、接着固定等も可能になった。【０００６】また、第２の課題解決手段は、メッセージを表示したプレート鉢である。この課題を解決するために、ジェット印刷により記念写真や色々の言葉やお子様の誕生の足型等をそのまま印刷を可能にしたものを化粧鉢の胴部の周囲部に印刷版を張り付けるか、もしくは直接印刷を可能にした。
［発明の効果］【０００７】上述したように本発明の化粧鉢は、鉢の胴部の周囲部にメッセージを表示したプレートを巻き付けネジで固定した鉢のみで、今回の化粧鉢により鉢に穴を開けてプレートをネジで固定及び張り付け、直接印刷することにより、生花の成長と共に記念写真や誕生の足型等や話題や思い出を残す記念化粧鉢である。
［発明の実施するための最良の形態］【０００８】以下、本発明の実施の形態を図１〜図３に基づいて説明する。図１は化粧鉢である。
ジェット印刷した印刷版を固定もしくは、直接印刷。大きさは縦１０ｃｍ、横２０ｃｍ、【０００９】図２は、生産者が育成した生花鉢で、図１より鉢が僅かだが小さめである。
生産者のレシピどうりにすれば、素人でも生育でき、楽しめるようにした。【００１０】図３は、印刷版の表示部は、将来的に思い出を生花の生育と共に、その記念鉢を残すことに意義があることである。
［実施例］【００１１】その表示Ａは、誕生記念（１）両親名（２）ヘビー名（３）誕生日（４）体重（５）血液型（６）足型及びサイズ（７）病医院名等
その表示Ｂは、記念写真（１）結婚祝い（２）誕生祝い（３）入学・卒業祝い（４）入社祝い（５）旅行・娯楽等
その表示Ｃは、        （１）記念の日時（２）記念場所（３）メッセージ等
【図面の簡単な説明】
【００１２】［図１］    本発明の実施形態を示すジェット印刷版付き挿入する化粧鉢の斜視図。
［図２］    同実施形態を示し、生産者の植え込み生花鉢図。
［図３］    図１の同実施形態のジェット印刷版を表示した正面図。
【符号の説明】
【００１３】１．化粧鉢。
２．化粧鉢の胴部の周囲部。
３．印刷版（１０ｃｍ×２０ｃｍ）
４．生産者生花植え込み鉢（プラスチック材、陶器、素焼き器、石膏材等々）
５．印刷版表示部（ジェット印刷）
６．生花（イングリッシュローズ等）
【図１】
2006051002.tif 000003
【図２】
2006051002.tif 000004
【図３】
2006051002.tif 000005
(57)【要約】【課題】  手軽に惣菜等を食することができる可食容器入り加工食品を提供する。【解決手段】  片手に保持しやすい形状薄フィルム容器に食品を入れ密閉する。これを可食性の容器に入れる。簡単な手順でフィルム容器を除去することができるよう設計し、除去後、可食性容器と食品をともに喫食することができるようにする。【選択図】図２
2006051008.tif 000002
【特許請求の範囲】
【請求項１】
片手に保持しやすい形状の可食性のある容器に食品を入れ、容器と食品との間に入れたフィルムを喫食の直前に取り除くことによって食材の新鮮さと容器の触感を保持することを特徴とした、可食容器入り食品。
【発明の詳細な説明】
【技術分野】
【０００１】  本発明は、片手に保持しやすい形状の可食性のある容器に食品を入れ、容器と食品との間に入れたフィルムを喫食の直前に取り除くことによって食材の新鮮さと容器の触感を保持することを特徴とした、加工食品に関するものである。
【技術背景】
【０００２】  従来、弁当や惣菜等は使い捨てのパックに入れて販売されていた。喫食の際には、箸やフォークなどを用いることが必要であった。
【発明の開示】
【発明が解決しようとする課題】
【０００３】  そのために、次のような問題点があった。
（イ）おにぎりやハンバーグ、サンドイッチなどの軽食は、どのような場所や姿勢でも喫食可能であるのに比べ、惣菜類や弁当を喫食するためには箸やフォークなどを要するためにテーブルのある場所でないと食べにくいなど、場所や姿勢が制限されていた。
（ロ）弁当や惣菜等は、皿状のパックに詰められた状態では容器内に空気を多く含むため、常温で持ち歩くと傷みやすかった。また、密封されていないため、時間経過とともに食品が乾燥し、食感や味が低下した。
（ハ）皿状のパックは、廃棄の際にかさばり、資源の無駄でもあった。
本発明は、これらの問題点を解決するためになされたものである。
【課題を解決するための手段】
【０００４】  薄フィルム容器に入れた食品を、そのまま片手に保持しやすい形状の可食性のある容器に入れる。喫食の際に、薄フィルム容器を簡単な手順で取り除くことができる。以上を特徴とする可食容器入り食品である。
【発明の効果】
【０００５】  片手で保持しやすい形状で、容器ごと喫食可能であるために、箸やフォークなどの食器を必要とせずまた、手を汚さず、扱いやすい。喫食の場所や姿勢を制限せず、惣菜等の喫食が容易となるため、他の軽食と併食することが容易で、これにより栄養バランスが改善される。
食材が密閉保存されるため、持ち運びの際の液漏れなどがなく、不潔感がない。
密閉によって食材の鮮度が保たれ、常温での保存可能な時間が延長できる。また、食品によっては、そのまま冷凍保存も可能である。
廃棄する容器は薄い膜状であるため、廃棄物が少なく環境負担が小さくなる。
【発明を実施するための最良の形態】
【０００６】  以下、本発明の実施の形態について説明する。
（イ）温野菜（かぼちゃ・にんじん・枝豆・ブロッコリ）を一口大に切り、円錐状のフィルム容器に入れる。このとき、円錐の頂点部分に食品落下防止用の可食素材で作られた栓を入れておく。その後フィルム容器を密閉する。
（ロ）（イ）を可食性の円錐形の容器にはめ込む。
本発明は、以上の構成よりなっている。
これを喫食するときは、フィルム容器の一片を開封し、可食容器の円錐の頂点からフィルムを引っ張り除去し、食品と可食容器をともに食する。
本発明の実施の形態では、野菜を例に説明したが、その他の惣菜などの食材でも同様に製造できる。
また、容器は円錐形を例に説明したが、フィルム容器を除去可能な他の形状の容器でも同様に製造できる。
【図面の簡単な説明】
【０００７】
【図１】本発明の斜視図
【図２】本発明の一部を切り欠いた側面図
【符号の説明】
【０００８】  １  フィルム容器
２  食品
３  可食容器
４  食品落下防止可食栓
【図１】
2006051008.tif 000003
【図２】
2006051008.tif 000004
(57)【要約】      （修正有）【課題】携帯ストラップ、ペンダントトップ等、常に携帯可能な物体に取り付けられる容器に香粒（固形香水）等を収納する事で、周辺に心地よい香りを提供、心地よい時を持つ事、又、発信機等を収納することで、痴呆による俳諧等にての所在地の確認を提供する事を目的とする。【解決手段】容器内部を空洞にし、その内部空洞部に香粒（固形香水）等を収納、紐等を取り付ける為の取り付け具を設け、容器本体には香りの出る穴、物体収納出し入れ口を設け、香りの出る穴から香りを発する事で、周辺に心地よい香りを提供するように構成した。【選択図】図１
2006051087.tif 000002
【特許請求の範囲】
【請求項１】
容器内部は空洞、内部空洞部から表面にかけて香りを出す貫通した穴を有し、容器本体には紐等を取り付ける為の取り付け具を設け、香りを出す穴とは別に容器空洞部に物体を収納する為の穴を設け、その穴には空洞部に収納した物体等の落下防止の為の蓋等を有する、香る携帯ストラップ。
【発明の詳細な説明】
【技術分野】
【０００１】
本発明は、携帯ストラップ、ペンダントトップ等の容器内に収納された香粒（固形香水）等から香りを発し、周辺に快適な香りを漂わせ、又、使用者本人も香りを楽しめる為の容器に関する。
【背景技術】
【０００２】
携帯ストラップ、ペンダントトップ等の容器内部の空洞部に、香粒（固形香水）等を容易に収納し、容器に香りを発する穴を有し、紐等を取り付ける為の取り付け具を有し、内部空洞部に収納した香料等の物体が落下しない為の蓋を有した容器は今までにはなかった。
【０００３】
従来香りを発する物は、におい袋、金属製カプセル等が存在しましたが、今回発明の容器は、容器内に香粒（固形香水）等を収納、容器本体には香り放出の為の穴を有し、容器形状が豊富、容器には紐等により持ち運びが容易にする為の取り付け具を取り付ける事で、使用者所持物に取り付け、持ち運びが容易な容器である。
【発明の開示】
【発明が解決しようとする課題】
【０００４】
携帯ストラップ、ペンダントトップ等の容器から香りを出し、香りを楽しみ、香りを持ち運びする事で心地よい時を持つ事が課題です。
【課題を解決するための手段】
【０００５】
上記課題の解決手段は、携帯ストラップ、ペンダントトップ等の容器内部を空洞にし、その内部に香粒（固形香水）等を収納、本体容器に紐等を取り付ける為の取り付け具を有する事で、携帯電話、ネックレス、バック等に取り付けが可能になり、本体容器には香りの出る穴を開け、その穴から香りを発する事で、上記課題は解決する。
【発明の効果】
【０００６】
携帯電話等に取り付けた携帯ストラップ、首から吊り下げたペンダントトップ、手に持ったバック等に取り付けた容器から、容器空洞部に収納した香粒（固形香水）等で周辺に心地よい香りを提供、使用者本人も香りを楽しむ効果が期待出来る。
【発明を実施するための最良の形態】
【０００７】
本案を図によって説明する。図１は香る携帯ストラップ本体の正面参考図、図２は図１香る携帯ストラップ本体の断面図、図３は香る携帯ストラップの蓋図、取り付け具図である。容器本体の内部は空洞、内部空洞部から表面には貫通した穴を有し、内部空洞部に香粒（固形香水）、発信機等を収納、収納した香粒（固形香水）、発信機等が落下しない為に穴を閉じる蓋を設け、持ち運び用の紐等を取り付ける為の取り付け具を有した形状である。
【０００８】
図１は、本案基本容器の香る携帯ストラップ参考形状図の正面図であり、内部の空洞部に香粒（固形香水）、発信機等を収納、携帯電話、ネックレス、バック等に取り付ける為に必要な紐等を取り付ける為の取り付け具を設け、５の出し入れ口から物体を収納する。１は本体、３は取り付け具、４は蓋、６は香り排出口である。３の取り付け具に紐等を取り付ける事で、携帯電話、ネックレス、バック等に容器が容易に取り付け可能になり、本体２の空洞部に香粒（固形香水）等を５から収納する事で、６の排出口から快適な香りを周辺に発する。
【実施例１】
【０００９】
図２は、本案基本の香る携帯ストラップ参考形状図の断面図であり、２の空洞部に、５の出し入れ口から香粒（固形香水）、発信機等を収納、４の蓋をし、６から香り等を排出する。
【実施例２】
【００１０】
図３は、香る携帯ストラップの蓋、取り付け具の参考図で、７の膨らみ部を１本体の５出し入れ口に取り付ける。A図は蓋内面図、B図は蓋側面図、C図は取り付け具図である。
【図面の簡単な説明】
【００１１】
【図１】香る携帯ストラップ正面図。
【図２】香る携帯ストラップ断面図。
【図３】香る携帯ストラップの蓋、取り付け具図。
【符号の説明】
【００１２】
１本体、
２空洞部、
３取り付け具、
４蓋、
５出し入れ口
６排出口
７膨らみ部
【図１】
2006051087.tif 000003
【図２】
2006051087.tif 000004
【図３】
2006051087.tif 000005
(57)【要約】【課題】使用時には鞄が自立できる硬さを保ち、不使用時には平たく折り畳めて、場所を取らずに保管のできる鞄を提供する。【解決手段】鞄３両側に設けた側幕１の下縁に連接したパッド２を、側幕１に合着して支え、パッド２の支えによって鞄３は自立し、パッド２を外す事で側幕１は折り畳み可能な状態となるので、鞄３を平たく折り畳む事ができる。【選択図】  図１
2006051074.tif 000002
【特許請求の範囲】
【請求項１】
対面する側幕１の各々に、パッド２を着脱できる状態で取り付け、パッド２の支えによって、鞄３が自立できるようにした事を特徴としたパッド固定鞄。
【請求項２】
パッド２は底板４から折り立てて、側幕１へ着脱する事を特徴とした請求項１記載のパッド固定鞄。
【発明の詳細な説明】
【技術分野】
【０００１】
本発明は、自立のできる鞄に関する。
【背景技術】
【０００２】
従来、鞄を自立させるには、適宜に腰のある布、例えは帆布などを用いて製造していた。
【発明の開示】
【発明が解決しようとする課題】
【０００３】
鞄全体を帆布で作れば、布自身の腰で自立させる事はできるものの、見た目が安っぽくなり、使用時にはパリパリとする音や、硬い感触などの違和感を生じさせ、装飾品の重みによっても潰れてしまう、という問題点があった。本発明では、腰のない布を用いても鞄を自立させる事ができ、装飾品の重みにも耐え、不使用時には折り畳む事ができるようにする、という課題の解決を目的とする。
【課題を解決するための手段】
【０００４】
鞄の対面する側幕の各々にパッドを着脱自在で取り付けて支え、鞄を折り畳む時には、パッドを側幕から外す。
【発明の効果】
【０００５】
パッドが側幕の内面に合着して支えているので、側幕は自立した状態を保持でき、同時に側幕の両側に隣接している前板と背板とをパッドが支えて自立させる事ができ、よって前記の連鎖によって鞄は自立できる事となり、鞄の自立によって収納物の出し入れが容易になり、硬質のパッドが自立を支えているので、棒状の支え具や取手などの装飾品を取り付けても自立状態を維持でき、袋部に柔らかな素材を用いる事ができるので、使用時に体と触れてもソフトであり、パッドを側幕から外せば、鞄を平に折り畳む事ができるので、不使用時の保管に場所を取らない。
【発明を実施するための最良の形態】
【０００６】
最良の形態を、図面を参照しながら以下の実施例で説明する。
【実施例１】
【０００７】
図１は、パッドの着脱過程を示した要部透視斜視図であり、前板５と底板４と背板６は折縁を含む曲げ縁を介して連接して袋部７と総称し、袋部７の両側の各々の縁に側幕１を取り付けて袋部７は袋形状を成し、側幕１は対面しており、各々の符号を個別に述べるならば、前板５を正面にして向かって左側を側幕１ａとし、向かって右側を側幕１ｂとし、両者を総称する場合は側幕１とし、側幕１の形状は底両角が丸い縦長矩形が望ましいが、底広がりにするなどの自由にデザイン化された形状であってもよく、側幕１の縁と袋部７の縁とを直接連接（縫合が望ましい）しても良いが、枠帯８を介して連接する方が収納物の量に対応できるので望ましく、側幕１の内側にパッド２を着脱（付け外し）自在な状態で取り付け、着脱自在な構造としてパッド２と側幕１に固定部９を設け、固定部９はボタンやホックであっても良いが面ファスナー（マジックテープ（登録商標））が望ましく。パッド２の底縁は底板４の内面（上面）に直線的に連接され、パッド２の連接線は前後方向で側幕１の底縁と同一線である事が望ましく、パッド２の個別符号は側幕１同様に向かって左を２ａとし、右を２ｂとし、パッド２の素材は自立（下を持って立つだけの腰の強さ）できるならば限定しなくても良いが、ポリプロピレンを芯にして薄手の布を袋状に縫合して被せた物が望ましく、布袋を被せた事で固定部９である面ファスナーを縫合する事が容易になり、側幕１の底縁を縫合すると同時にパッド２の底縁を縫合でき、パッド２底縁の縫合線を支点にしてパッド２の先縁は円を描いて側幕１の天縁に近付き、右の側幕１ｂではパッド２ｂと合わさる事でピンと張り、左の側幕１ａではパッド２ａが剥がれた事で支えを失ってたわむ。
【０００８】
図２は、パッドを固定して鞄の口を開けた状態で示した要部透視斜視図であり、側幕１の内面にパッド２が合わさった状態で固定しているので、パッド２が側幕１を支えてピンと張った状態を保持し、側幕１が自立している事から隣接している前板５と背板６は共に自立でき、袋部７には装飾品としての支え具１０及び取手１１を付ける事が望ましく、支え具１０は棒形状を成して袋部７の天縁を支えて直線状に固定する物で、取手１１は鞄３を持ち運びする為の握り箇所で、前記二者の装飾品はそれなりの自重を有し、それらの重みに対してもパッド２が支える事となり、側幕１とパッド２との合着は面ファスナーで形成した固定部９を介して行われており、枠帯８を有している事から鞄３の開口部は大きく開くので収納物の出し入れが楽になり、鞄３の開口部を閉じる方法はファスナーなどの従来技術を用いる事とし、前板５と背板６は持ち運び時に体と接する事から、厚みはあっても腰の無い素材を用いる事が望ましく、底板４は収納物を安定させる目的から腰のある硬い芯を入れるか底面に合着或いは縫合する事が望ましい。
【０００９】
図３は、折り畳んだ状態を示した要部透視斜視図であり、パッド２を外した事で側幕１は支えを失って折り畳まれ、同時に隣接の前板５（背板６であっても良い）が折り畳まれて鞄３は平たくなり、平たくなった事で不使用時に於ける保管で嵩張らず、底板４は曲がらない硬質素材を用いている事から、内側（上面）は側幕１から外されたパッド２の収納場所として利用できる。
【図面の簡単な説明】
【００１０】
【図１】パッドの着脱過程を示した要部透視斜視図
【図２】パッドを固定して鞄の口を開けた状態で示した要部透視斜視図
【図３】折り畳んだ状態を示した要部透視斜視図
【符号の説明】
【００１１】
１  側幕
２  パッド
３  鞄
４  底板
【図１】
2006051074.tif 000003
【図２】
2006051074.tif 000004
【図３】
2006051074.tif 000005
(57)【要約】  【課題】  ナノチューブのサイズ等の性質及び特性を十分に引き出すにためには、ナノチューブを自由に配置制御する必要があるが、従来は、ナノチューブを任意の場所に自由に配置することが困難であった。  【解決手段】  任意の場所へナノチューブを配置するには、電子顕微鏡を利用し、ステージ上に同一焦点深度を利用した精密配置制御を行うために、角度をつけた基板設置台を設け、ナノチューブは、水平方向に移動させるので、同一焦点深度であるため、移動の状況は、該顕微鏡により観察することができる。【選択図】  図３
2006051574.tif 000002
【特許請求の範囲】
【請求項１】
走査型電子線顕微鏡の観察可能な領域において、ナノサイズ材料を設置する方法であって、先端を先鋭化にした針状体に該材料の一端を取り付け、他端を一方の金属台に接触させて固着し、次いで、該針状体を水平方向に移動させ、該材料の該一端を他方の金属台に接触させ固着することを特徴とするナノサイズ材料を設置する方法。
【請求項２】
上記ナノサイズ材料は、ナノメータサイズの直径を有するナノチューブ又はナノメータサイズの厚さを有するナノベルトであることを特徴とする請求項１記載のナノサイズ材料を設置する方法。
【請求項３】
上記顕微鏡の内部には、上記ナノサイズ材料を載置する移動可能なステージを備えていることを特徴とする請求項１記載のナノサイズ材料を設置する方法。
【発明の詳細な説明】
【技術分野】
【０００１】
本願発明は、カーボンナノチューブ及びナノベルト等のナノサイズ材料（以下ナノチューブ）を任意の場所へナノスケール精度で設置する技術である。
【背景技術】
【０００２】
これまでに行われているナノチューブを設置する方法は、乱雑に置かれたナノチューブを偶発的に電極間等に接触させる（下記特許文献１参照）、あるいはナノチューブの成長触媒を設置した箇所より制御されることなくある箇所へナノチューブを設置させる方法など任意の位置ではない箇所へナノチューブを配置することが報告されている。
【特許文献１】特開２００３−３３２２６６号公報
【発明の開示】
【発明が解決しようとする課題】
【０００３】
ナノチューブのサイズ等の性質及び特性を十分に引き出すにためには、ナノチューブを自由に配置制御する必要があるが、従来は、ナノチューブを任意の場所に自由に配置することが困難であった。
【課題を解決するための手段】
【０００４】
任意の場所へナノチューブを配置するには、電子顕微鏡を利用する。電子顕微鏡内部には、２つ以上のステージが備えられており、それぞれが独立して少なくとも3方向（X,Y,Z方向以外に回転や傾き自由度を考慮すると３軸以上になる。）に移動可能である。
【０００５】
第１のステージにはナノチューブを配置する基板を、第２のステージには、ナノチューブを設置する。それぞれを接近させた後、ナノチューブの一端を基板上の配置させる箇所（電極等）に接触させ、その後、もう一端を水平方向に引きながら、他の接触させる箇所へ接触させ、ブリッジ構造の作製を行う。
【０００６】
ナノチューブは、先端を尖鋭化した針状体に1本のみ取り付けたものを使用する。ここで、該針状体とは、材料としては、金属あるいは金属類似の硬い物質であり、先端が細くされたものであればよく、例えば、電界研磨又は異方性エッチング等により先端を先鋭化した探針あるいはカッター・ニッパー等の切断器具により切断された細線等である。金属としては、タングステン又は金等が用いられる。
【０００７】
ステージには、焦点深度を利用した精密配置制御を行うために、角度をつけた基板設置台を設け、該基板設置台上に基板を固定する。
【発明の効果】
【０００８】
これにより配置材料の物理的熱的特性評価、電極配線、電子デバイスおよび電子線バイプリズムへの利用、その小型化が可能になり、小型、高性能機器が実現できる。
【発明を実施するための最良の形態】
【０００９】
図面を用いて本願発明の実施例を説明する。
【実施例１】
【００１０】
図1に、使用する走査型電子顕微鏡（SEM）内ステージを示す。第１ステージ１には基板を設置するため、基板設置台３を設置し、その基板設置台上に基板４を固定する。第２ステージ２にはカーボンナノチューブを取り付けたプローブ５を固定する。
【００１１】
図２において、使用するナノチューブ６はSEM中において静電気又は電子線により針状体上に固定したナノチューブであり、一方のステージに設置した基板上の金属台７にナノチューブ先端を静電気にて接触させ、高さがほぼ均等な横方向に針状体を移動させることにより、焦点深度を一定に保ったまま、もう一方の金属台８へ静電気にて接触させることにより架橋構造を作製する。その後、電気的、機械的熱的等の使用目的に応じて、接合部分は、特性を引き出すことのできる接合を行う。
【００１２】
図４に、ナノチューブの配置が完成した状況を撮影した電子顕微鏡写真を示す。この写真に示すように、特定の選択されたナノチューブが所定の場所（この写真の場合には、２つの金属台に対して垂直）に配置されている。
【図面の簡単な説明】
【００１３】
【図１】走査型電子顕微鏡内使用環境概略図
【図２】ナノチューブと電極間の配置図
【図３】ナノチューブ設置の工程図
【図４】ナノチューブ設置完成写真
【符号の説明】
【００１４】
１    基板配置用ステー
２    設置基板
３    ナノチューブ付き金属探針
【図１】
2006051574.tif 000003
【図２】
2006051574.tif 000004
【図３】
2006051574.tif 000005
【図４】
2006051574.tif 000006